(57)【要約】【課題】より高い偽造防止効果と特殊な視覚効果を実現し得る表示体を提供する。【解決手段】本発明の表示体１０は、複数の凹部又は凸部が一次元的又は二次元的に配列され、かつ、前記複数の凹部又は凸部の中心間距離が２００ｎｍ乃至５００ｎｍの範囲内にある凹凸構造領域を一方の主面に含む光透過層と、前記一方の主面に支持され、前記凹凸構造領域の少なくとも一部を被覆する反射層と、前記一方の主面に前記反射層を被覆するように支持され、屈折率が前記反射層の屈折率と０．２以上の差を有する屈折層と、を備えることを特徴とする。【選択図】  図１
2010078821.tif 000002
【特許請求の範囲】
【請求項１】
複数の凹部又は凸部が一次元的又は二次元的に配列され、かつ、前記複数の凹部又は凸部の中心間距離が２００ｎｍ乃至５００ｎｍの範囲内にある凹凸構造領域を一方の主面に含む光透過層と、
前記一方の主面に支持され、前記凹凸構造領域の少なくとも一部を被覆する反射層と、
前記一方の主面に前記反射層を被覆するように支持され、屈折率が前記反射層の屈折率と  ０．２以上の差を有する屈折層と、
を備えることを特徴とする表示体。
【請求項２】
前記反射層と屈折層との屈折率差が０．５以上であることを特徴とする請求項１に記載の表示体。
【請求項３】
前記屈折層は金属化合物からなり、前記金属化合物の屈折率は前記反射層の屈折率よりも０．５以上高いことを特徴とする請求項１又は２に記載の表示体。
【請求項４】
前記凹凸構造領域を複数備えており、
少なくとも１つの前記凹凸構造領域において、前記複数の凹部又は凸部の形状、深さ又は高さ、中心間距離および配置パターンが、他の凹凸構造領域と異なる
ことを特徴とする請求項１乃至３の何れかにに記載の表示体。
【請求項５】
請求項１乃至４の何れか１項に記載の表示体と、前記表示体上に設けられた粘着層とを具備したことを特徴とする粘着ラベル。
【請求項６】
請求項１乃至４の何れか１項に記載の表示体と、これを支持した物品とを具備したことを特徴とするラベル付き物品。
【発明の詳細な説明】
【技術分野】
【０００１】
本発明は、例えば偽造防止効果を提供する表示技術に関する。
【背景技術】
【０００２】
キャッシュカード、クレジットカード及びパスポートなどの認証物品並びに商品券及び株券などの有価証券には、偽造が困難であることが望まれる。そのため、従来から、そのような物品には、その偽造を抑止すべく、偽造又は模造が困難であると共に、偽造品や模造品との区別が容易なラベルが貼り付けられている。そのようなラベルは、例えば、特許文献１に記載されている。
【０００３】
また、近年では、認証物品及び有価証券以外の物品についても、偽造品の流通が問題視されている。そのため、このような物品に、認証物品及び有価証券に関して上述した偽造防止技術を適用する機会が増えている。
【０００４】
ところで、偽造防止用のラベルとして使用する表示体の多くには、偽造防止技術が適用されていることが観察者によって比較的悟られ易いという問題がある。偽造防止技術の適用が悟られると、表示体が不正に複製又は変造される可能性が高くなる。即ち、優れた偽造防止効果を達成できない。なお、ここでは、偽造又は模造が困難であること、偽造品や模造品との区別が容易であることを偽造防止効果と呼ぶ。
【特許文献１】特開２００５−９１６９９号公報
【発明の開示】
【発明が解決しようとする課題】
【０００５】
本発明の目的は、より高い偽造防止効果と特殊な視覚効果を実現し得る表示体を提供することにある。
【課題を解決するための手段】
【０００６】
本発明の請求項１に記載の発明は、複数の凹部又は凸部が一次元的又は二次元的に配列され、かつ、前記複数の凹部又は凸部の中心間距離が２００ｎｍ乃至５００ｎｍの範囲内にある凹凸構造領域を一方の主面に含む光透過層と、
前記一方の主面に支持され、前記凹凸構造領域の少なくとも一部を被覆する反射層と、
前記一方の主面に前記反射層を被覆するように支持され、屈折率が前記反射層の屈折率と  ０．２以上の差を有する屈折層と、
を備えることを特徴とする表示体である。
【０００７】
本発明の請求項２に記載の発明は、前記反射層と屈折層との屈折率差が０．５以上であることを特徴とする請求項１に記載の表示体である。
【０００８】
本発明の請求項３に記載の発明は、前記屈折層は金属化合物からなり、前記金属化合物の屈折率は前記反射層の屈折率よりも０．５以上高いことを特徴とする請求項１又は２に記載の表示体である。
【０００９】
本発明の請求項４に記載の発明は、前記凹凸構造領域を複数備えており、
少なくとも１つの前記凹凸構造領域において、前記複数の凹部又は凸部の形状、深さ又は高さ、中心間距離および配置パターンが、他の凹凸構造領域と異なる
ことを特徴とする請求項１乃至３の何れかにに記載の表示体である。
【００１０】
本発明の請求項５に記載の発明は、請求項１乃至４の何れか１項に記載の表示体と、前記表示体上に設けられた粘着層とを具備したことを特徴とする粘着ラベルである。
【００１１】
本発明の請求項６に記載の発明は、請求項１乃至４の何れか１項に記載の表示体と、これを支持した物品とを具備したことを特徴とするラベル付き物品である。
【発明の効果】
【００１２】
本発明によると、より高い偽造防止効果と特殊な視覚効果を実現することが可能となる。
【発明を実施するための最良の形態】
【００１３】
以下、本発明の態様について、図面を参照しながら詳細に説明する。なお、各図において、同様又は類似した機能を発揮する構成要素には同一の参照符号を付し、重複する説明は省略する。
【００１４】
図１は、本発明の一態様に係る表示体を概略的に示す平面図である。図２は、図１に示す表示体のＩＩ−ＩＩ線に沿った断面図である。なお、図１及び２に記載の表示体１０では、光透過層１１側から観察した様子を示している。
【００１５】
この表示体１０は、光透過層１１、反射層１３及び屈折層１４とを含んでおり、図２に示す例では、光透過層１１の一方の主面には、凹凸構造領域１２ａと非凹凸構造領域１２ｂとを含んでいる。後述するように、凹凸構造領域１２ａは、複数の凹部又は凸部が設けられている。これら複数の凹部又は凸部は、光が照射されると、特定方向に回折光を射出する。また、非凹凸構造領域１２ｂは、平坦面である。
さらに、凹凸構造領域１２ａを備える光透過層１１の主面に、凹凸構造領域１２ａの少なくとも一部を被覆するように反射層１３が形成されており、反射層１３を被覆するように光透過層１１の主面に屈折層１４が形成されている。以下、光透過層１１側を「前面」、屈折層１４側を「背面」と記す。
【００１６】
次に、凹凸構造領域１２ａに採用可能な構造について説明する。先に述べた通り、凹凸構造領域１２ａには、複数の凹部又は凸部が設けられている。
なお、先に述べた通り、非凹凸構造領域１２ｂは、平坦面である。また、非凹凸構造領域１２ｂは、省略することができる。
【００１７】
図３は、図１及び図２に示す表示体１０の凹凸構造領域１２ａに採用可能な構造の一例を拡大して示す斜視図である。図３に示す例では、凹部又は凸部ＲＰは、二次元的に配列している。
凹凸構造領域１２ａに配列される凹部又は凸部ＲＰは、中心間距離が２００ｎｍ乃至５００ｎｍの範囲内で規則的に配列されている。そのため、後に詳しく説明するように、凹凸構造領域１２ａは、照明光を照射した際に特定の方向及び角度にのみ回折光を射出することができる。
【００１８】
複数の凹部又は凸部ＲＰの配列は、例えば、正方格子、矩形格子又は三角格子をなしている。これら凹部又は凸部ＲＰの配列を制御することにより、凹凸構造領域１２ａから射出される回折光の射出角及び射出方向などを任意に調整することができる。図３には、一例として、複数の凸部が、互いに直交するＸ方向及びＹ方向に二次元的に配列して正方格子をなしている場合を描いている。
【００１９】
また、凹部又は凸部ＲＰの各々は、種々の形状でありうる。
凹部又は凸部ＲＰの各々は、角錐、円錐及び半紡錘形状などの順テーパ形状を有していることが好ましい。順テーパ形状を有していることにより、凹凸構造領域１２ａを法線方向から観察した場合に、凹凸構造領域１２ａの正反射光の反射率をより小さくすることができる。
【００２０】
図４は、図１及び図２に示す表示体の凹凸構造領域１２ａに採用可能な構造の他の例を拡大して示す斜視図である。図４に示す例では、凹部又は凸部ＲＰは、複数の溝が一次元的に配列したレリーフ型回折格子である。
この場合には、これら複数の溝の格子定数、方位、及び深さなどを制御することにより、凹凸構造領域１２ａから射出される回折光の射出角及び射出方向などを任意に調整することができる。
【００２１】
なお、用語「回折格子」は、自然光などの照明光を照射することにより回折波を生じる構造を意味し、複数の溝を平行且つ等間隔に配置する通常の回折格子に加え、ホログラムに記録された干渉縞も包含することとする。
【００２２】
凹部又は凸部ＲＰは、２００ｎｍ乃至５００ｎｍの中心間距離で配置されている。この場合、後述するように、凹凸構造領域１２ａから射出される回折光を視認又は検出することによる真正品と非真正品との判別が比較的容易となる。
【００２３】
また、凹部又は凸部ＲＰの深さ又は高さは、光散乱を抑制するため、ほぼ一定とする。凹部又は凸部ＲＰの深さ又は高さは、典型的には１００ｎｍ以上とする。
【００２４】
表示体１０に表示させる像は、二次元的に配列した複数の画素で構成してもよい。この場合、これら画素間において、凹部又は凸部ＲＰの形状、深さ又は高さ、中心間距離及び配置パターンの少なくとも１つを互いに異ならしめることにより、比較的複雑な像を表示することができる。
【００２５】
凹部又は凸部ＲＰは、例えば、微細な凸部又は凹部を設けた金型を樹脂に押し付けることにより形成することができる。例えば、凹部又は凸部ＲＰは、基材上に設けられた熱可塑性樹脂層に、凸部又は凹部が設けられた原版を、熱を印加しながら押し当てる方法、即ち、熱エンボス加工法により得られる。或いは、凹部又は凸部ＲＰは、基材上に紫外線硬化樹脂を塗布し、これに原版を押し当てながら基材側から紫外線を照射して紫外線硬化樹脂を硬化させ、その後、原版を取り除く方法により形成することも可能である。
【００２６】
この原版は、例えば、電子線描画装置を用いて製造する。なお、通常は、原版の凹凸構造を転写して反転版を製造し、この反転版の凹凸構造を転写して複製版を製造する。そして、必要に応じ、複製版を原版として用いて反転版を製造と、この反転版の凹凸構造を転写して複製版を更に製造する。実際の製造では、通常、このようにして得られる複製版を使用する。
【００２７】
光透過層１１の材料としては、例えば透明材料を使用することができる。
また、光透過層１１は、単層構造を有していてもよく、多層構造を有していてもよい。例えば、先の基材の材料として、ポリエチレンテレフタレート（ＰＥＴ）及びポリカーボネートなどのプラスチック素材を使用し、先の熱可塑性樹脂又は紫外線硬化樹脂として、アクリル系樹脂、ポリカーボネート系樹脂、スチレン系樹脂、アクリル／スチレン共重合体系樹脂を使用してもよい。或いは、珪酸塩を含んだ無機材料を使用してもよい。
【００２８】
反射層１３は、光透過層１１の凹構造及び／または凸構造が設けられた主面の全体又は一部を被覆している。
【００２９】
反射層１３としては、例えば、アルミニウム（１．４８）、銀（０．１７）、金（０．３４）、白金（２．９）、鉄（２．３６）、クロム（２．４）、亜鉛（２．４）及びそれらの合金などの金属材料からなる層を使用することができる。なお、上記括弧内の数字は各金属材料の屈折率を示すものである。
【００３０】
反射層１３は、例えば、気相堆積法により形成することができる。例えば、斜め蒸着又は斜めスパッタリングにより形成することができる。
なお、反射層１３を凹凸構造領域１２ａの一部のみに被覆させることにより、全体に被覆させた場合とは異なる意匠性付与することができる。
【００３１】
屈折層１４としては、例えば、アルミニウム（１．４８）、銀（０．１７）、金（０．３４）、白金（２．９）、鉄（２．３６）、クロム（２．４）、亜鉛（２．４）及びそれらの合金などの金属材料や、硫化亜鉛（２．３７）、酸化チタン（２．５２）、酸化銅（２．７１）、塩化銀（２．０５）、酸化亜鉛（１．９５）、酸化クロム（２．５）、酸化ジルコニウム（２．４）、酸化アルミニウム（１．７６）、酸化第二鉄（３．０１）、三酸化二鉄（３．０８）、硫化水銀（２．９５）などの金属化合物からなる層を使用することができる。なお、上記括弧内の数字は各材料の屈折率を示すものである。
【００３２】
屈折層１４は、例えば、真空蒸着法及びスパッタリング法などの気相堆積法により形成することができる。
【００３３】
表示体１０は、その前面を白色光で照明した場合、例えば、以下に説明する画像を表示する。
【００３４】
凹凸構造領域１２ａにおいては、光透過層１１と反射層１３の界面は２次元的に配列した微細な凹部又は凸部ＲＰを含んでいる。そのため、凹凸構造領域１２ａに入射した光の多くは、光透過層１１と反射層１３の界面で複数回反射される。その結果、入射光の多くは吸収され、凹凸構造領域１２ａでは、表示面に垂直な方向に反射光を射出しないか又は弱い反射光を射出する。
【００３５】
そして、凹部又は凸部ＲＰの中心間距離は、２００ｎｍ乃至５００ｎｍの範囲内であるため、表示面に垂直な方向に回折光が射出されることはないか又は表示面に垂直な方向に射出される回折光は視感度が低い波長の光のみである。したがって、凹凸構造領域１２ａでは、黒色乃至灰色を表示する。
【００３６】
非凹凸構造領域１２ｂでは、光透過層１１と反射層１３の界面は平坦である。
それゆえ、正反射光を観察可能な場合には、非凹凸構造領域１２ｂは光源色である白色を表示する。
【００３７】
従って、表示面に垂直な方向から観察した場合、表示体１０は凹凸構造領域１２ａが黒インキを用いて形成した印刷パターンの如く見え、非凹凸構造領域１２ｂが白色に見える。
【００３８】
次に、凹凸構造領域１２ａに起因した表示体１０の視覚効果について、さらに説明する。
【００３９】
図５は、凹凸構造領域１２ａが回折光を射出する様子を概略的に示す図である。図５において、Ｌ１は照明光を示し、Ｌ２は正反射光又は０次回折光を示し、Ｌ３は１次回折光を示している。
【００４０】
凹凸構造領域１２ａでは、凹部又は凸部ＲＰが規則的に配列している。そのため、凹凸構造領域１２ａを照明すると、入射光である照明光の進行方向に対して特定の方向に強い回折光が射出される。
【００４１】
最も代表的な回折光は、１次回折光である。２次以上の高次の回折光は、１次回折光と比較して強度が著しく小さい。そのため、高次の回折光が視認及び検出に与える影響は、無視できる程度に軽微である。
【００４２】
１次回折光の射出角βは、凹凸構造領域１２ａの法線Ｎに平行な面内で光が進行する場合、下記（１）式から算出することができる。
ｄ＝λ／（ｓｉｎα−ｓｉｎβ）    …（１）
この（１）式において、ｄは凹部又は凸部ＲＰの中心間距離を表し、λは入射光及び回折光の波長を表している。また、αは、０次回折光、即ち透過光又は正反射光の射出角を表している。
【００４３】
角度α及びβは、法線Ｎから時計回りの方向を正方向として定める。そして、法線Ｎを基準として−９０゜乃至０゜の角度範囲を「負の角度範囲」と呼び、０゜乃至９０゜の角度範囲を「正の角度範囲」と呼ぶ。また、射出角αは、正の角度範囲に属するとする。即ち、０゜＜α＜９０゜であるとする。
【００４４】
（１）式から明らかなように、１次回折光の射出角βは、波長λに応じて変化する。即ち、凹部又は凸部ＲＰは、分光器としての機能を有している。したがって、照明光が白色光である場合、法線Ｎに平行な面内で観察角度を変化させると、観察者が視認する色が変化する。
【００４５】
また、（１）式から分かるように、中心間距離ｄを入射光の波長λより小さくすると、任意の入射角−αに対して、射出角βを負の値とすることができる。即ち、この場合、入射光Ｌ１が負の角度範囲に属するときには、１次回折光Ｌ３も負の角度範囲に属する。したがって、凹凸構造領域１２ａは正の角度範囲に可視光波長の１次回折光を射出しないか、又は、この角度範囲に射出する１次回折光を視感度が低い波長の光のみとすることができる。
【００４６】
本発明の表示体１０は、一般的な照明光（白色光）の下で観察するものであり、「一般的な照明光」とは約３８０ｎｍから約７８０ｎｍの波長を有する可視光を指すものである。
【００４７】
このように、表示体１０の凹凸構造領域１２ａは、凹部又は凸部の中心間距離が２００ｎｍ乃至５００ｎｍの範囲内にあるため、法線方向から観察した場合には黒色インキを用いて形成した印刷パターンの如く見え、或る斜め方向から観察した場合には着色して見える。このような色変化は、通常の回折格子又はホログラムで再現することはできない。
なお、凹部又は凸部の中心間距離が２００ｎｍ未満である場合は、一般的な照明光の下で１次回折光が射出することがないため除外している。
【００４８】
また、凹部又は凸部ＲＰは微細であるため、不正を行う者にとって、それらの構造解析は難しい。そして、それらの構造を解析できたとしても、この微細構造を再現することは極めて困難である。即ち、この表示体１０は、偽造が困難であり且つ特殊な視覚効果を提供する。
【００４９】
次に、反射層１３背面に屈折層１４を設けることによる効果について説明する。
【００５０】
表示体１０において、光透過層１１の背面に反射層１３設けるだけでも、上述した視覚効果を提供することは可能である。
【００５１】
しかし、表示面に垂直な方向から観察した場合の黒色を際立たせる（具体的には黒色の明度（Ｌ＊値）を抑える）には光透過層１１と反射層１３の界面における反射率を極力少なくする必要があり、斜め方向から観察した場合の着色（回折光）の出力強度をある程度犠牲としなければならない。逆に、回折光の出力強度を上げる為には垂直方向での黒色の明度（Ｌ＊値）をやや上げなくてはいけない。
すなわち、表示面に垂直な方向から観察した場合の黒色と、斜め方向から観察した場合の着色（回折光）の双方を際立たせることは難しい。
【００５２】
表示体１０において、光透過層１１の背面に反射層１３として、例えば、Ａｌ層（屈折率は１．４８）を設けた場合、光透過層１１と反射層１３からなる表示体１０の背面にある空気層（屈折率は１）との屈折率差は、約０．５となる。この屈折率差を大きくすることで、垂直方向での黒色の明度を保ったまま、回折光強度をやや上げることが可能となる。
【００５３】
また、光透過層１１と反射層１３らなる表示体１０は、通常、防汚や耐性、偽造防止などの面から、反射層１３背面に接着剤層、樹脂層等を更に積層する構成が実用的であることが考えられる。典型的な接着剤層、樹脂層は屈折率が１．５程度であり、そのような構成では、反射層１３とその背面の層との屈折率差が背面に空気層がある場合よりも小さくなり、より一層回折光の強度は小さくなる。
【００５４】
本発明における表示体１０では、反射層１３背面に、反射層１３の屈折率と０．２以上の差がある屈折率を持つ屈折層１４を設ける。屈折率差が０．２未満であると、反射層−反射層の背面に形成した層界面での反射率が低くなり、回折光強度が下がってしまう。そこで、屈折率差を０．２以上とすることで、回折強度が低下することを防ぎ、前述した視覚効果をより高めることができる。
さらに、より好ましくは屈折率差を０．５以上とすることにより、より回折強度が高くなるため、好ましい。
【００５５】
また、防汚や耐性にも効果的であり、更には屈折層１４によって、反射層１３表面の露出を防止することができるため、先の凹部又は凸部ＲＰの、偽造を目的とした複製を困難とすることができる。
【００５６】
図６は、本発明の一態様に係る粘着ラベルを概略的に示す断面図である。
粘着ラベル２０は、表示体１０と、表示体１０上に設けられた接着層２１とを備えている。
図６には、一例として、図２に示す表示体１０の背面上（屈折層１４面上）に接着層２１が設けられている場合を示している。
【００５７】
接着層２１を設けると、屈折層１４の表面が露出しないようにできる。そのため、表示体１０を粘着ラベル２０の一部として使用することにより、先の界面の凹部又は凸部の複製をより一層困難とすることができる。
なお、表示体１０において、光透過層１１側を背面側とし且つ屈折層１３ｂ側を前面側とする場合、接着層２１は、光透過層１１上に形成する。
【００５８】
この粘着ラベル２０は、例えば、真正さが確認されるべき物品に貼り付けるか、或いは、そのような物品に取り付けられるべきタグの基材などの他の物品に貼り付ける。これにより、当該物品に偽造防止効果を付与することができる。
なお、反射層１３及び屈折層１４にカッティングを入れたり、表示体１０と接着層２１との間に脆性層を更に設けたりすることにより、粘着ラベル２０に貼替え防止機能を付与することもできる。これにより、更に優れた偽造防止効果を達成できる。
【００５９】
図７は、ラベル付き物品の一例を概略的に示す平面図である。
図７には、表示体付き物品の一例として、印刷物３０を描いている。この印刷物３０は、ＩＤ（ｉｄｅｎｔｉｆｉｃａｔｉｏｎ）カードであって、基材３１を含んでいる。基材３１は、例えば、プラスチックからなる。基材３１の一方の主面には凹部が設けられており、この凹部にＩＣチップ３２が嵌め込まれている。ＩＣチップ３２の表面には電極が設けられており、これら電極を介してＩＣへの情報の書き込み及び／又はＩＣに記録された情報の読出しが可能である。基材３１上には、印刷層４０が形成されている。基材３１の印刷層４０が形成された面には、上述した表示体１０が例えば粘着層を介して固定されている。表示体１０は、例えば、粘着ステッカとして又は転写箔として準備しておき、これを印刷層４０に貼りつけることにより、基材３１に固定する。
【００６０】
この印刷物３０は、上述した表示体１０を含んでいる。それゆえ、この印刷物３０の偽造及び模造は不可能又は困難である。しかも、この印刷物３０は、表示体１０に加えて、ＩＣチップ３２及び印刷層４０を更に含んでいるため、それらを利用した偽造防止対策を採用することができる。
【００６１】
なお、図７には、表示体１０を含んだ印刷物としてＩＤカードを例示しているが、表示体１０を含んだ印刷物は、これに限られない。例えば、表示体１０を含んだ印刷物は、磁気カード、無線カード及びＩＣ（ｉｎｔｅｇｒａｔｅｄ  ｃｉｒｃｕｉｔ）カードなどの他のカードであってもよい。或いは、表示体１０を含んだ印刷物は、商品券及び株券などの有価証券であってもよい。或いは、表示体１０を含んだ印刷物は、真正品であることが確認されるべき物品に取り付けられるべきタグであってもよい。或いは、表示体１０を含んだ印刷物は、真正品であることが確認されるべき物品を収容する包装体又はその一部であってもよい。
【００６２】
また、図７に示す印刷物３０では、表示体１０を基材３１に貼り付けているが、表示体１０は、他の方法で基材に支持させることができる。例えば、基材として紙を使用した場合、表示体１０を紙に漉き込み、表示体１０に対応した位置で紙を開口させてもよい。或いは、基材として光透過性の材料を使用する場合、その内部に表示体１０を埋め込んでもよく、基材の裏面、即ち表示面とは反対側の面に表示体１０を固定してもよい。
【００６３】
また、ラベル付き物品は、印刷物でなくてもよい。即ち、印刷層を含んでいない物品に表示体１０を支持させてもよい。例えば、表示体１０は、美術品などの高級品に支持させてもよい。
【００６４】
表示体１０は、偽造防止以外の目的で使用してもよい。例えば、表示体１０は、玩具、学習教材又は装飾品等としても利用することができる。
【実施例】
【００６５】
以下、本発明の実施例を説明する。
【００６６】
＜実施例１＞
実施例１では、図１乃至図２に示す表示体１０を、以下の方法により製造した。
まず、厚さが２５μｍであるポリエチレンテレフタレートフィルム（以下、ＰＥＴフィルム）上に、紫外線硬化樹脂を塗布した。
次いで、版面に複数の凸部が設けられた原版を先の塗膜に押し当てながら、ＰＥＴフィルム側から紫外線を照射して紫外線硬化樹脂を硬化させた。
その後、原版を取り除くことにより、複数の凹部構造のついた光透過層１１を得た。ここでは、凹部の深さは４００ｎｍとし、凹部の中心間距離は３００ｎｍとした。
次に、光透過層１１の凹部構造側の主面に、真空蒸着法によりアルミニウム（屈折率：１．４８）を堆積させて、反射層１３を形成した。
さらに、反射層１３側に、真空蒸着法により硫化亜鉛（屈折率：２．３７）を堆積させて、屈折層１４を形成した。
ここで、反射層１３と屈折層１４との屈折率差は０．８９であった。
【００６７】
このようにして得られた表示体１０を法線方向から観察したところ、凹凸構造領域１２ａは黒色に見えた。また、この表示体１０を傾けて観察したところ凹凸構造領域１２ａは着色して見えた。
【００６８】
次に、この表示体１０について、ＪＩＳ  Ｚ  ８７２２−条件ｃのＳＣＩ方式を用いて、表示面に垂直な方向での反射率を測定し、明度Ｌ＊を算出した。
その結果、明度Ｌ＊は４１であった。
【００６９】
また、この表示体１０に４０度の入射角で白色光を照射し、このときの回折効率を測定した。
その結果、波長が５４０ｎｍの光に関する１次回折効率は最大で１２．９％であった。
【００７０】
＜実施例２＞
図６に示すように、実施例１で得られた表示体１０の屈折層１４側に接着層２１（ポリエステルウレタン、屈折率約１．５）を形成し粘着ラベル２０を得た。
このようにして得られた粘着ラベル２０について、実施例１と同様の方法で明度Ｌ＊を測定したところ、Ｌ＊は４２であった。
また、この表示体１０の５４０ｎｍの光に関する１次回折効率を、実施例と同様の方法で測定したところ、回折効率は最大で１２．１％であった。
【００７１】
＜比較例１＞
屈折層１４を形成しなかったことを除いて、実施例１と同様の方法で表示体を形成した。
ここで、比較例１では、屈折層を設けていないが、反射層の背面にある空気層は屈折率が１であるため、反射層と空気層との屈折率差は０．４８であった。
この表示体について、実施例１と同様の方法で明度Ｌ＊を測定したところ、Ｌ＊は４１で実施例１と変わらなかった。
しかしながら、この表示体の５４０ｎｍの光に関する１次回折効率を、実施例と同様の方法で測定したところ、回折効率は最大で１２．４％であり、実施例１よりも０．５％低下した。
【００７２】
つまり、反射層と屈折層との屈折率差が０．５以上であると、より回折効率が高くなることがわかる（実施例１及び比較例１）。
【００７３】
＜比較例２＞
比較例１で得られた表示体の反射層側に接着層（アクリル系接着剤（アクリル樹脂）、屈折率約１．５）を形成し粘着ラベルを得た。
ここで、比較例２では、屈折層を設けていないが、反射層の背面にある接着層は屈折率が１．５であるため、反射層と接着層との屈折率差は０．０２であった。
この粘着ラベルについて、実施例と同様の方法で明度Ｌ＊を測定したところ、Ｌ＊は４３で実施例よりも明度がやや上がっていた。
また、この表示体の５４０ｎｍの光に関する１次回折効率を、実施例と同様の方法で測定したところ、回折効率は最大で１１．６％で、実施例２よりも０．５％の落ちが、実施例１と比べると１％強の落ちがあった。
【００７４】
つまり、反射層と屈折層との屈折率差が０．２未満であると、Ｌ＊の明度が高くなり、回折効率が低くなることがわかる（実施例１及び２、比較例１及び２）。
【００７５】
本発明の表示体では、表示面に垂直な方向から観察した場合の黒色の明度と、斜め方向から観察した場合の着色（回折効率）の双方を際立たせることができた。
【図面の簡単な説明】
【００７６】
【図１】本発明の一態様に係る表示体を概略的に示す平面図。
【図２】図１に示す表示体のＩＩ−ＩＩ線に沿った断面図。
【図３】図１及び図２に示す表示体の凹凸構造領域に採用可能な構造の一例を拡大して示す斜視図。
【図４】図１及び図２に示す光学素子の凹凸構造領域に採用可能な構造の他の例を拡大して示す斜視図。
【図５】凹凸構造領域が回折光を射出する様子を概略的に示す図。
【図６】本発明の一態様に係る粘着ラベルを概略的に示す断面図。
【図７】ラベル付き物品の一例を概略的に示す平面図。
【符号の説明】
【００７７】
１０…表示体、１１…光透過層、１２ａ…凹凸構造領域、１２ｂ…非凹凸構造領域、１３…反射層、１４…屈折層、２０…粘着ラベル、２１…接着層、３０…印刷物、３１…基材、３２…ＩＣチップ、４０…印刷層、ＲＰ…凹部又は凸部、Ｌ１…照明光、Ｌ２…正反射光又は０次回折光、Ｌ３…１次回折光、Ｎ…法線
【図１】
2010078821.tif 000003
【図２】
2010078821.tif 000004
【図３】
2010078821.tif 000005
【図４】
2010078821.tif 000006
【図５】
2010078821.tif 000007
【図６】
2010078821.tif 000008
【図７】
2010078821.tif 000009